(57)【要約】【課題】必要数の接続端子を確保しながら半導体装置をより小型化する。【解決手段】基板2と、基板表面に実装された半導体素子3と、基板表面に半導体素子3を覆って形成されたモールド樹脂部4と、モールド樹脂部4の外周側の基板表面に配置された複数の接続端子5とを備える半導体装置において、モールド樹脂部4の外周側の領域におけるモールド金型の樹脂通路に対応する領域Ｂに、モールド樹脂との接着強度が弱い樹脂剥離部としての複数の金属面18,19が前記樹脂通路に沿う向きに適当間隔で配列され、その間に少なくとも一つの接続端子5が配置される。【選択図】図３
2009194267.tif 000002
【特許請求の範囲】
【請求項１】
第一の基板と、前記第一の基板の第一面に実装された第一の半導体素子と、前記第一の基板の第一面に前記半導体素子を覆って形成されたモールド樹脂部と、前記第一の基板の前記モールド樹脂部の外周側の基板面に配置された複数の第一の接続端子とを備え、
前記モールド樹脂部の外周側の領域におけるモールド金型の樹脂通路に対応する部分に、モールド樹脂との接着強度が弱い複数の樹脂剥離部が前記樹脂通路に沿う向きに適当間隔で配列されており、その間に少なくとも一つの前記第一の接続端子が配置されている半導体装置。
【請求項２】
複数の樹脂剥離部は、モールド金型のゲートに対応する第１の樹脂剥離部と、ランナーに対応して基板周縁部に配置された第２の樹脂剥離部とよりなり、前記第１および第２の樹脂剥離部の各々が金属面である請求項１記載の半導体装置。
【請求項３】
複数の樹脂剥離部の全てが第一の接続端子である請求項１記載の半導体装置。
【請求項４】
複数の第一の接続端子が配置されているときは所定間隔で直線状に並んでいる請求項１記載の半導体装置。
【請求項５】
モールド樹脂部の外周側の領域は複数の樹脂剥離部および第一の接続端子の表面以外が絶縁樹脂膜で覆われている請求項１記載の半導体装置。
【請求項６】
モールド樹脂部の外周側の領域は複数の樹脂剥離部および第一の接続端子の表面も含めてプラズマ処理されている請求項１または請求項５のいずれかに記載の半導体装置。
【請求項７】
モールド樹脂部の外周側の領域は第一の接続端子の表面以外が絶縁樹脂膜で覆われ、前記第一の接続端子の表面も含めて他領域よりも強プラズマ処理されていて、モールド金型の樹脂通路に対応する部分では前記第一の接続端子以外の強プラズマ処理面が樹脂剥離部として機能する請求項１記載の半導体装置。
【請求項８】
絶縁樹脂膜はフィラを含有している請求項４または請求項７のいずれかに記載の半導体装置。
【請求項９】
第１の樹脂剥離部である金属面は位置認識パターンを兼ねている請求項２記載の半導体装置。
【請求項１０】
請求項１記載の半導体装置のモールド樹脂部上に第二の基板もしくは第二の半導体素子が配置され、前記第二の基板もしくは第二の半導体素子に形成された第二の接続端子と第一の基板の第一の接続端子とが導電性接着部で接続された半導体装置。
【請求項１１】
請求項１記載の半導体装置の製造方法であって、第一の基板の第一面に第一の半導体素子を搭載し電気的に接続するとともに、その搭載領域よりも外周側の領域をプラズマ処理する工程と、第一の基板の第一面にモールド金型を配置し、その樹脂通路を通じてモールド樹脂を流し込んでモールド樹脂部を形成する工程と、前記第一の基板の樹脂通路対応領域に残ったモールド樹脂を除去する工程とを有する半導体装置の製造方法。
【請求項１２】
第一の基板のモールド樹脂部の外周側となる領域が第一の接続端子の表面を除いて絶縁樹脂膜で覆われているときには、当該領域を他領域よりも強プラズマ処理する請求項１１記載の半導体装置の製造方法。
【請求項１３】
プラズマ処理は、第一の半導体素子の搭載前に行う請求項１１記載の半導体装置の製造方法。
【請求項１４】
プラズマ処理は、第一の半導体素子の搭載後に行う請求項１１記載の半導体装置の製造方法。
【請求項１５】
請求項１記載の半導体装置を、第１の基板の第二面に設けた実装電極をメイン基板表面の実装電極に接続させて搭載した電子機器。
【請求項１６】
請求項１０記載の半導体装置を、第１の基板の第二面に設けた実装電極をメイン基板表面の実装電極に接続させて搭載した電子機器。
【請求項１７】
半導体素子を実装する実装領域と前記半導体素子を覆うモールド樹脂部を形成するモールド領域とが第一面に設定され、前記モールド領域の外周側の領域に複数の接続端子が配置された配線基板であって、前記モールド樹脂部の外周側の領域におけるモールド金型の樹脂通路に対応する部分に、モールド樹脂との接着強度が弱い複数の樹脂剥離部が前記樹脂通路に沿う向きに適当間隔で配列されており、その間に少なくとも一つの前記第一の接続端子が配置されている配線基板。
【発明の詳細な説明】
【技術分野】
【０００１】
本発明は、半導体装置、その製造方法、およびそれを用いた電子機器に関するものである。
【背景技術】
【０００２】
携帯電話などの携帯用電子機器は製品の小型化が進められており、内部に配置される半導体装置にも小型化が求められている。そのため半導体装置は例えば、第一の基板の片面に第一の半導体素子を実装し、それを覆うモールド樹脂部を形成し、その上に、モールド樹脂部の外周側となる基板面に配置された複数の接続端子に対応する複数の接続端子を有する第二の基板もしくは第二の半導体素子を配置し、対応する接続端子どうしを導電性接着体で接続し、第一の基板のもう片面に、機器内のメイン基板表面の第二の実装電極に接続する第一の実装電極を設けた構成とされている。
【０００３】
この半導体装置を製造する際の、モールド樹脂部を形成する工程では、第一の半導体素子を実装した第一の基板の片面上に金型を配置し、そのランナーを通じてモールド樹脂を流し込む成形法がとられている。そのため、第一の基板のランナー対応部分に残る不要な樹脂を効率的に除去できるように、第一の基板のランナー対応部分に、つまり第一の基板の外周部からモールド領域まで連続的に、モールド樹脂の接着強度が弱い金属剥離面が形成されている（たとえば特許文献１）。
【特許文献１】特開平６−１２０３９７号公報
【発明の開示】
【発明が解決しようとする課題】
【０００４】
しかしながら、上記したように第一の基板にその外周部からモールド領域まで連続的に金属剥離面を形成することとすれば、その部分には接続端子を設けることができない。第一の基板自体の小型化を図っている現状では、必要数の接続端子を設けるためには、金属剥離面の分だけ基板サイズを大きくせざるをえず、半導体装置もそれに見合ったサイズとなる。
【０００５】
本発明は、上記問題に鑑み、必要数の接続端子を確保しながら半導体装置をより小型化することを目的とするものである。
【課題を解決するための手段】
【０００６】
上記課題を解決するために、本発明の半導体装置は、第一の基板と、前記第一の基板の第一面に実装された第一の半導体素子と、前記第一の基板の第一面に前記半導体素子を覆って形成されたモールド樹脂部と、前記第一の基板の前記モールド樹脂部の外周側の基板面に配置された複数の第一の接続端子とを備え、前記モールド樹脂部の外周側の領域におけるモールド金型の樹脂通路に対応する部分に、モールド樹脂との接着強度が弱い複数の樹脂剥離部が前記樹脂通路に沿う向きに適当間隔で配列されており、その間に少なくとも一つの前記第一の接続端子が配置されていることを特徴とする。
【０００７】
また本発明の半導体装置は、上記の半導体装置のモールド樹脂部上に第二の基板もしくは第二の半導体素子が配置され、前記第二の基板もしくは第二の半導体素子に形成された第二の接続端子と第一の基板の第一の接続端子とが導電性接着部で接続されていることを特徴とする。
【０００８】
複数の樹脂剥離部は、モールド金型のゲートに対応する第１の樹脂剥離部と、ランナーに対応して基板周縁部に配置された第２の樹脂剥離部とにより構成され、前記第１および第２の樹脂剥離部の各々が金属面であるものとすることができる。複数の樹脂剥離部の全てが第一の接続端子であってもよい。
【０００９】
複数の第一の接続端子が配置されているときは所定間隔で直線状に並んでいることが好ましい。モールド樹脂部の外周側の領域は複数の樹脂剥離部および第一の接続端子の表面以外が絶縁樹脂膜で覆われていることが好ましい。またモールド樹脂部の外周側の領域は複数の樹脂剥離部および第一の接続端子の表面も含めてプラズマ処理されていることが好ましい。
【００１０】
複数の樹脂剥離部は、モールド樹脂部の外周側の領域が第一の接続端子の表面以外が絶縁樹脂膜で覆われ、前記第一の接続端子の表面も含めて他領域よりも強プラズマ処理された構成であってもよく、この場合はモールド金型の樹脂通路に対応する部分では前記第一の接続端子以外の強プラズマ処理面が樹脂剥離部として機能する。
【００１１】
絶縁樹脂膜はフィラを含有しているのが望ましい。第１の樹脂剥離部である金属面は位置認識パターンとしても利用できる。
上述の半導体装置を製造する際には、第一の基板の第一面に第一の半導体素子を搭載し電気的に接続するとともに、その搭載領域よりも外周側の領域をプラズマ処理する工程と、第一の基板の第一面にモールド金型を配置し、その樹脂通路を通じてモールド樹脂を流し込んでモールド樹脂部を形成する工程と、前記第一の基板の樹脂通路対応領域に残ったモールド樹脂を除去する工程とを少なくとも行う。
【００１２】
第一の基板のモールド樹脂部の外周側となる領域が第一の接続端子の表面を除いて絶縁樹脂膜で覆われているときには、当該領域を他領域よりも強プラズマ処理する。プラズマ処理は、第一の半導体素子の搭載前に行ってもよいし、第一の半導体素子の搭載後に行ってもよい。
【００１３】
上述の第１の半導体装置を、第１の基板の第二面に設けた実装電極をメイン基板表面の実装電極に接続させて搭載した電子機器も、本発明の一部を構成する。
上述の第２の半導体装置を、第１の基板の第二面に設けた実装電極をメイン基板表面の実装電極に接続させて搭載した電子機器も、本発明の一部を構成する。
【００１４】
半導体素子を実装する実装領域と前記半導体素子を覆うモールド樹脂部を形成するモールド領域とが第一面に設定され、前記モールド領域の外周側の領域に複数の接続端子が配置された配線基板であって、前記モールド樹脂部の外周側の領域におけるモールド金型の樹脂通路に対応する部分に、モールド樹脂との接着強度が弱い複数の樹脂剥離部が前記樹脂通路に沿う向きに適当間隔で配列されており、その間に少なくとも一つの前記第一の接続端子が配置されている配線基板も、本発明の一部を構成する。
【発明の効果】
【００１５】
本発明の半導体装置は、モールド金型の樹脂通路に対応する基板面に、モールド樹脂との接着強度が弱い複数の樹脂剥離部を適当間隔で配置し、その間に少なくとも一つの接続端子を配置したので、つまり従来は金属剥離面を連続的に形成していた部分にも接続端子を配置し、それを樹脂剥離部としても利用するので、必要とする個数の接続端子、および、効率的なモールド樹脂除去を確保しながら、基板サイズ、装置サイズを従来よりも小さくすることができる。よって、この半導体装置を搭載する電子機器の小型化、高機能化も実現可能となる。
【発明を実施するための最良の形態】
【００１６】
以下、本発明の一実施形態を図面を用いて説明する。
図１において、半導体装置１００は、第一の半導体装置１と第二の半導体装置１０とからなるモジュール構造を有している。
【００１７】
半導体装置１は、基板２と、基板２の片面（以下基板表面という）に実装された半導体素子３と、基板表面に半導体素子３を覆って形成されたモールド樹脂部４と、基板表面に形成された複数の接続端子５、８と、基板裏面に形成された複数の接続端子６、実装電極１３とを有している。
【００１８】
基板２は配線基板であって、基板表面の中央に半導体素子搭載部が設定され、モールド樹脂部４内となる領域とその外周側となる領域とにそれぞれ複数の接続端子８、５が形成され、これらの接続端子８、５に電気的に接続する複数の接続端子６が基板裏面に形成されている。また接続端子６上に実装電極１３が形成されている。
【００１９】
半導体素子３は、基板２の半導体素子搭載部上に絶縁性の接着剤で固着されており、素子上面の接続端子７と基板２の接続端子８とはワイヤー９で電気的に接続されている（一部のみ図示している）。
モールド樹脂部４は、エポキシ樹脂などのモールド樹脂よりなり、半導体素子３、接続端子８、ワイヤー線９を覆っている。半導体素子３等を外的衝撃から保護する構造である。
【００２０】
半導体装置１０は、基板２の接続端子５に対応する複数の接続端子１１を有しており、モールド樹脂部４の上に配置されて、互いの接続端子５、１１どうし、ボール状の導電性接着剤１２を介して電気的、機械的に接続されている。
【００２１】
以上のような半導体装置１と半導体装置１０とが二段に積層された半導体装置１００が、基板２の裏面の実装電極１３において、図示しない電子機器、例えば携帯電話のような携帯用電子機器のメイン基板表面の実装電極上に導電性接着剤によって接続されることで、同メイン基板上に実装される。
【００２２】
なお半導体装置１００は、基板２上に半導体素子３と半導体装置１０とが二段に実装されたモジュール構造とも言える。半導体装置１０はたとえば大規模メモリーであるが、これに代えて、他の基板や半導体素子を実装しても構わない。
【００２３】
半導体装置１００の製造方法を図２を参照して簡単に説明する。
図２（ａ）はフープ状の基板１４を示す。基板１４は、上述の基板２の領域が複数に連なったもので、各基板２領域の四方の外周部分に後段で分割するための切溝１６が形成されている。
【００２４】
各基板２領域において、表面の接続端子５は、モールド樹脂部４の外周側となる領域に、半導体素子３およびモールド樹脂部４の周方向に沿う向きに所定間隔をあけて配列されるとともに、同心状に二列に配列されている。
【００２５】
また各基板２の領域について、上述のモールド樹脂部４を形成する金型の樹脂通路に対向する領域Ｂに金属面１８、１９が非連続的に形成されている。金属面１８は、基板１４の長手方向の一辺１４ａから切溝不形成部１７を通って基板２の領域内のコーナー部に少し入り込む形で配置されており、金属面１９は金属面１８の延長線上にある。接続端子５は金属面１８、１９間にも配置されている。接続端子５、金属面１８、１９の表面を除く基板２の全面は絶縁保護膜であるレジスト２ａで覆われている。金属面１８、１９等については後段で詳述する。
【００２６】
１５は基板１４にその長手方向に沿って所定間隔で設けられたパイロット孔であり、このパイロット孔１５によって、連続的な搬送、加工、実装作業が容易に行えるようになっている。
【００２７】
図２（ｂ）に示すように、基板１４の各基板２の領域に半導体素子３を実装し、当該基板１４をモールド用の金型３０にセットする。モールド容器（図示せず）に連通する供給部３１が基板１４の外周に位置し、ランナー３２およびゲート３３が領域Ｂに対向し、凹部３４により形成されるモールド空間に半導体素子３が収容される。この状態でモールド容器からモールド樹脂を供給して、ランナー３２およびゲート３３を通じて、凹部３４によるモールド空間に注入する。
【００２８】
モールド樹脂の硬化後に、図２（ｃ）に示すようにモールド樹脂部４が形成された基板１４を金型３０から取外し、切溝１６に沿ってカッターで切断して、基板２ごとの成形品つまり半導体装置１に分割する。
【００２９】
この際に、基板１４を金型３０から取外した後に（カッターでの切断前に）、領域Ｂに残留したモールド樹脂を除去するのであるが、このモールド樹脂の除去を効率的に行うために以下の手段を講じている。図３を参照しつつ説明する。図３では図示を簡略にするために切断後の基板２の領域のみ示している。
【００３０】
（１）上述したように、領域Ｂに金属面１９、金属面１８、接続端子５を形成する。金属面１８は金型のランナーに対応して基板周縁部に配置する。金属面１９は金型のゲートに対応して、モールド樹脂部４となる領域の外周部に配置する。これら直線状に並んだ金属面１９、金属面１８の間に、２個の接続端子５も同様に直線状に配置する。金属面１８、２個の接続端子５、金属面１９の少なくとも表面（上面）は、金や銀といった金属表面として、モールド樹脂との密着性を低くする。
【００３１】
（２）金属面１８、接続端子５、金属面１９を除く基板２の全面に設けたレジスト２ａ上をプラズマ処理する。プラズマ処理は、基板２上に半導体素子３を実装した前でも後でもよい。モールド樹脂部４となる領域内とその外周側領域とで処理強度を異ならせるのが好ましい。
【００３２】
具体的には、図４（ａ）（ｂ）に拡大して示すように、モールド樹脂部４となるモールド領域内は、接続端子８（図１参照）の表面を綺麗にすること、および、レジスト２ａとモールド樹脂部４との接着強度を強くすることを目的に、通常の強度のプラズマ処理を行う。一方、モールド領域よりも外周側の領域は、金属面１８、２個の接続端子５、金属面１９の表面を綺麗にすることだけを目的として、モールド領域内よりも強いプラズマ処理を行う。
【００３３】
このようにしたことにより、金属面１８、２個の接続端子５、金属面１９に対するモールド樹脂の密着性が低くなり、除去しやすくなった。また接続端子５，８の電気的な接続がしやすくなった。
【００３４】
さらに、上述の強いパワーでのプラズマ処理により、基板２領域外の領域Ｂ（図２（ａ）参照）に残るモールド樹脂も除去しやすくなった。この理由は十分に解明できていないが、次のようなものであると考えられる。
【００３５】
基板２上にはレジスト２ａが設けられており、このレジスト２ａはフィラを含んでいる。強いプラズマ処理によってレジスト２ａの表面が削られると、図４（ｂ）に示すようにフィラ２０が表出し、浮石状態となってモールド樹脂との密着強度が低下するか、またはＯＨ基が少なくなってモールド樹脂との密着強度が低下する。
【００３６】
後者の場合について詳述する。モールド樹脂は金型から離型しやすいように離型材（ワックス）を表面にある程度「まだら」に滲ませる材料設計になっており、離型材が存在しない部分でレジスト２ａのＯＨ基と結びつく。しかしレジスト２ａの樹脂成分などに比較すると、Ｓｉ系（ガラス系統）などのフィラ２０はＯＨ基が非常に少なく、かかるフィラ２０が表出することでモールド樹脂との密着強度が低下すると考えられる。
【００３７】
いずれにせよ、上述の構造、処理によって、基板２上に残る不要なモールド樹脂を容易に除去することが可能になった。
一方、従来は領域Ｂに連続的に設けていた金属面を金属面１８、１９という非連続的なものとし、その部分に接続端子５を設けているので、必要個数の接続端子５を設けるための基板２のサイズ、したがって半導体装置１、１００のサイズを従来よりも小さくすることができる。半導体装置１００を搭載する電子機器の小型化も実現できる。
【００３８】
また、図示したように金属面１９をモールド樹脂部４の一つのコーナー部に配置した場合は、この金属面１９を実装認識マークとしても利用することが出来る。例えば、基板２上に半導体装置１０を実装するときに、いわゆる一番ピンどうしを識別したうえで実装作業を進める必要があるが、その際の位置認識をするための実装認識マークとして金属面１９を利用することができる。
【００３９】
なお、基板２の領域Ｂにおいては、金属面１８、１９の一方あるいは双方を設けることなく、あるいはこれらの面積を小さくして、その部分に他の接続端子５を設けてもよく、その場合には、代替した接続端子５が金属面１８、１９と同様の機能を果たすこととなる。
【００４０】
また、金属面１８、１９の一方あるいは双方を設けることなく、あるいはこれらの面積を小さくして、その部分をレジスト２ａで覆い、かつその部分のプラズマ処理を強くしても、不要なモールド樹脂を容易に除去可能となる。図５は金属面１９のみを設けた状態を示す。
【産業上の利用可能性】
【００４１】
本発明の半導体装置は、基板上で樹脂通路となる部分に設ける樹脂剥離部を非連続的なものとし、その間にも接続端子を配置するようにしたことにより、必要数の接続端子を確保しながら従来よりもサイズダウンできるもので、小型化の要求が強い携帯用電子機器に特に有用である。
【図面の簡単な説明】
【００４２】
【図１】本発明の一実施形態の半導体装置の断面図
【図２】図１の半導体装置の製造方法を示す工程図
【図３】図１の半導体装置を構成する基板の平面図
【図４】図３の基板の一部を拡大して示す平面図および断面図
【図５】本発明に係る他の基板の一部を拡大して示す平面図
【符号の説明】
【００４３】
１      半導体装置
２      基板
2a      レジスト
３      半導体素子
４      モールド樹脂部
５，６，７，８  接続端子
９      ワイヤー
10      半導体装置
11      接続端子
12      導電性接着剤
13      実装電極
14      基板
18，19  金属面
20      フィラ
100     半導体装置
【図１】
2009194267.tif 000003
【図２】
2009194267.tif 000004
【図３】
2009194267.tif 000005
【図４】
2009194267.tif 000006
【図５】
2009194267.tif 000007